(57)【要約】【課題】不正行為を行った鍵が正規の鍵であるか否かを判別できて有効な対策を立てることが可能な自動販売機の管理システム、及び管理装置を提供する。【解決手段】自動販売機の管理システム１に、自動販売機２と、自動販売機２を開施錠させＩＣチップ３ａが取付けられている鍵３と、自動販売機２の扉１２の前面側でロック装置１３の外周に配置されるアンテナ２２、及び鍵３のＩＣチップ３ａの情報を、アンテナ２２を介して読取ると共に、読取った情報を記憶部に記憶させる鍵情報読取制御部２３を備えた管理装置４と、を具備させる。また、自動販売機の管理装置４に、上記のアンテナ２２と鍵情報読取制御部２３と、を具備させる。【選択図】図３
2014203385.tif 000002
【特許請求の範囲】
【請求項１】
前側が開放されている箱状の本体、該本体の前側を開閉可能に閉鎖しており取付孔が形成されている扉、該扉の前記取付孔に前側から挿入されている筒状のハウジングと、該ハウジングの前端から全周に亘って前記扉の前面に沿って延出しているフランジ部と、及び前記ハウジングの内部に収容されているシリンダ錠とを有し、前記扉が閉鎖されている時にロックするためのロック装置、前記扉の開閉を検知する開閉検知センサ、該開閉検知センサによる開閉の検知を日時と共に記憶する記憶部、を備えている自動販売機と、
ＩＣチップが取付けられており、前記シリンダ錠を動作させて、ロックされていた前記扉を開施錠させる鍵と、
前記扉の前面側で前記ロック装置の外周に配置されているアンテナ、及び該アンテナを介して前記鍵の前記ＩＣチップの情報を読取ると共に、読取った情報を前記自動販売機の前記記憶部に記憶させる鍵情報読取制御部、を備えている管理装置と、
を具備していることを特徴とする自動販売機の管理システム。
【請求項２】
前記管理装置は、
前記ロック装置の前記ハウジングが通過可能な通過孔を有していると共に、該通過孔の周りに前記アンテナが埋設されており、前記ロック装置の前記フランジ部と前記扉の前面との間に挟持される平板枠状のアンテナベースを、更に備えていることを特徴とする請求項１に記載の自動販売機の管理システム。
【請求項３】
前側が開放されている箱状の本体と、本体の前側を開閉可能に閉鎖しており取付孔が形成されている扉と、扉の取付孔に前側から挿入されている筒状のハウジング、ハウジングの前端から全周に亘って扉の前面に沿って延出しているフランジ部、及びハウジングの内部に収容されているシリンダ錠を有し、扉が閉鎖されている時にロックするためのロック装置と、扉の開閉を検知する開閉検知センサと、開閉検知センサによる開閉の検知を日時と共に記憶する記憶部と、を備えている自動販売機に用いられる管理装置であって、
扉の前面側でロック装置の外周に配置されているアンテナと、
シリンダ錠を動作させてロックされていた扉を開施錠させる鍵に取付けられたＩＣチップの情報を該アンテナを介して読取ると共に、読取った情報を自動販売機の記憶部に記憶させる鍵情報読取制御部と
を具備していることを特徴とする自動販売機の管理装置。
【発明の詳細な説明】
【技術分野】
【０００１】
本発明は、自動販売機の扉を開閉させるための鍵の管理に用いられる自動販売機の管理システム、及び管理装置に関する。
【背景技術】
【０００２】
複数の自動販売機を管理している管理会社等では、管理の手間を簡略化するために、一つの鍵で複数の自動販売機の扉を開閉できるようにしている。そのため、その鍵が、不正に使用されたり、不正に第三者に渡されたりした場合、複数の自動販売機が荒らされる等の不正行為が行われてしまう問題があった。
【０００３】
そこで、自動販売機に、扉の開閉を検知する開閉検知センサを設けて、扉が開閉された日時を記憶させることにより、扉の開閉状況を記録させるようにした自動販売機が提案されている（特許文献１）。この自動販売機では、鍵の管理記録（使用記録）と、扉の開閉記録とを照合することによって、不正に鍵を使用した者を特定したり、不正に扉が開閉された日時を特定したりすることができ、不正行為に対する抑止効果を発揮させることができる。
【０００４】
しかしながら、特許文献１の技術では、正規の鍵が複製されて第三者に渡されてしまった場合、鍵の管理記録や扉の開閉記録からは、不正に鍵を使用した者を特定することができない問題があった。
【０００５】
ところで、正規の鍵により不正行為が行われた場合では、その対策として鍵の管理を強化する必要があるのに対して、複製された鍵により不正行為が行われた場合では、その対策として複製された鍵が使用できないように自動販売機側で対応する必要がある。これに対して、特許文献１の技術では、自動販売機の扉の開閉に使用された鍵が、正規の鍵であるのか、複製された鍵であるのかを判別することができなかった。そのため、不正行為を行った鍵が、正規の鍵であるか否かによって対策が異なるにもかかわらず、不正行為に対する有効な対策を立てることができなかった。
【発明の概要】
【発明が解決しようとする課題】
【０００６】
そこで、本発明は上記の実情に鑑み、不正行為を行った鍵が正規の鍵であるか否かを判別できて有効な対策を立てることが可能な自動販売機の管理システム、及び管理装置の提供を課題とする。
【課題を解決するための手段】
【０００７】
上記の課題を解決するために、本発明に係る自動販売機の管理システムは、「前側が開放されている箱状の本体、該本体の前側を開閉可能に閉鎖しており取付孔が形成されている扉、該扉の前記取付孔に前側から挿入されている筒状のハウジングと、該ハウジングの前端から全周に亘って前記扉の前面に沿って延出しているフランジ部と、及び前記ハウジングの内部に収容されているシリンダ錠とを有し、前記扉が閉鎖されている時にロックするためのロック装置、前記扉の開閉を検知する開閉検知センサ、該開閉検知センサによる開閉の検知を日時と共に記憶する記憶部、を備えている自動販売機と、ＩＣチップが取付けられており、前記シリンダ錠を動作させて、ロックされていた前記扉を開施錠させる鍵と、前記扉の前面側で前記ロック装置の外周に配置されているアンテナ、及び該アンテナを介して前記鍵の前記ＩＣチップの情報を読取ると共に、読取った情報を前記自動販売機の前記記憶部に記憶させる鍵情報読取制御部、を備えている管理装置と、を具備している」ことを特徴とする。
【０００８】
ここで、「アンテナ」としては、フィルムアンテナ（ＦＰＣアンテナ）、プリントアンテナ、ループアンテナ、を例示することができる。また、「鍵情報読取制御部」としては、ＮＦＣ（近距離無線通信）に対応した制御部とすることが望ましく、ＩＳＯ／ＩＥＣ  １４４４３、ＩＳＯ／ＩＥＣ  １８０９２  等の規格に対応した制御部を例示することができる。また、鍵情報読取制御部としては、読取ったＩＣチップの情報を自動販売機側の制御部に送信して記憶部への記憶は自動販売機側の制御部に行わせる鍵情報読取制御部としても良いし、読取ったＩＣチップの情報を自動販売機の記憶部に直接記憶させる鍵情報読取制御部としても良い。
【０００９】
本発明の自動販売機の管理システムによれば、ＩＣチップが取付けられている正規の鍵を用いて自動販売機の扉が開けられる場合、扉を開閉させるために正規の鍵がロック装置に近付けられると、ロック装置の外周に配置されているアンテナにより正規の鍵に取付けられているＩＣチップの情報（例えば、ＩＤ）が読取られ、その情報が記憶部に記憶される。そして、正規の鍵がロック装置のシリンダ錠に挿入されることにより開錠されて扉が開けられると、開閉検知センサにより扉の開が検知され、扉が開かれたことが日時と共に記憶部に記憶される。これにより、正規の鍵の情報と扉の開閉とが一緒に（関連付けても良い）記憶部に記憶される。
【００１０】
一方、複製された鍵を用いて自動販売機の扉が開けられた場合、複製された鍵にはＩＣチップが取付けられていないため、アンテナから鍵の情報が読取られず、その状態で開錠されて扉が開けられると、記憶部には扉の開閉の日時のみが記憶される。
【００１１】
従って、自動販売機の記憶部に記憶された扉の開閉の履歴を見ることにより、扉の開閉に使用された鍵が、正規の鍵であるか否かを容易に判別することができる。仮に、複製された鍵にＩＣチップが取付けられていたとしても、アンテナによって読取られる情報が、正規の鍵の情報と異なるため、正規の鍵でないことを容易に判別することができる。
【００１２】
そして、正規の鍵を用いて不正行為が行われている場合は、鍵の管理記録に基いて鍵の使用者を特定したり、鍵の管理方法を変更したりする防犯対策を取ることができる。また、複製された鍵を用いて不正行為が行われている場合は、自動販売機のシリンダ錠と鍵を変えて複製された鍵を使用できないようにすることで、防犯対策を取ることができる。この場合、自動販売機のロック装置において、シリンダ錠として、交換しなくても別の鍵に変更することができる可変式シリンダ錠を用いることが望ましい。これにより、複数の自動販売機に対して鍵の変更を容易に行うことができる。
【００１３】
ところで、ＩＣチップの情報を読取るためのアンテナを、扉の内側やロック装置内等に配置することが考えられるが、一般的な自動販売機では、扉やロック装置を破壊する不正行為に対応できるようにするため、扉やロック装置を丈夫な金属によって形成しており、扉の内側やロック装置内にアンテナを配置した場合、その導電性を有した金属により電波が遮断されてしまったり吸収されてしまったりして、ＩＣチップの情報を読取ることができなくなる。これに対して、本発明では、扉の前面側にアンテナを配置しているため、扉やロック装置等によって電波が遮断されることがなく、ＩＣチップの情報を良好に読取ることができる。
【００１４】
また、扉の開閉を記憶する機能を有した自動販売機であれば、正規の鍵にＩＣチップを取付けると共に、自動販売機に管理装置（アンテナと鍵情報読取制御部）を取付けるだけで、上述したような作用効果を奏する自動販売機の管理システムを構築することができる。従って、既存の自動販売機に対しても後から簡単に対応させることができ、既存の自動販売機の防犯性能を向上させることができる。
【００１５】
また、本発明に係る自動販売機の管理システムは、上記の構成に加えて、「前記管理装置は、前記ロック装置の前記ハウジングが通過可能な通過孔を有していると共に、該通過孔の周りに前記アンテナが埋設されており、前記ロック装置の前記フランジ部と前記扉の前面との間に挟持される平板枠状のアンテナベースを、更に備えている」ことを特徴としても良い。
【００１６】
本発明の自動販売機の管理システムによれば、管理装置のアンテナベースをロック装置のフランジ部と扉の前面との間に挟持させるだけで、扉の前面側にアンテナを容易に配置する（取付ける）ことができる。また、通過孔の周りのアンテナを埋設しているため、自動販売機に取付けることによってロック装置の外周にアンテナを配置することができ、正規の鍵を用いてロック装置の開施錠を行う際に、正規の鍵に取付けられているＩＣチップの情報を確実に読取ることができる。
【００１７】
更に、本発明に係る自動販売機の管理装置は、「前側が開放されている箱状の本体と、本体の前側を開閉可能に閉鎖しており取付孔が形成されている扉と、扉の取付孔に前側から挿入されている筒状のハウジング、ハウジングの前端から全周に亘って扉の前面に沿って延出しているフランジ部、及びハウジングの内部に収容されているシリンダ錠を有し、扉が閉鎖されている時にロックするためのロック装置と、扉の開閉を検知する開閉検知センサと、開閉検知センサによる開閉の検知を日時と共に記憶する記憶部と、を備えている自動販売機に用いられる管理装置であって、扉の前面側でロック装置の外周に配置されているアンテナと、シリンダ錠を動作させてロックされていた扉を開施錠させる鍵に取付けられたＩＣチップの情報を該アンテナを介して読取ると共に、読取った情報を自動販売機の記憶部に記憶させる鍵情報読取制御部とを具備している」ことを特徴とする。
【００１８】
本発明の自動販売機の管理装置によれば、自動販売機に取付けることにより、不正行為を行った鍵が正規の鍵であるか否かを判別できて有効な対策を立てることが可能な自動販売機の管理システムを構築することができる。
【発明の効果】
【００１９】
このように、本発明によれば、不正行為を行った鍵が正規の鍵であるか否かを判別できて有効な対策を立てることが可能な自動販売機の管理システム、及び管理装置を提供できる。
【図面の簡単な説明】
【００２０】
【図１】本発明の一実施形態である自動販売機の管理システムを適用した自動販売機の全体を概略で示す斜視図である。
【図２】図１の自動販売機のロック装置の部位を拡大して示す正面図である。
【図３】図２におけるＡ−Ａ断面図である。
【図４】図２のロック装置の部位を分解して示す分解斜視図である。
【図５】図１の自動販売機の管理システムの機能的構成を概略で示すブロック図である。
【発明を実施するための形態】
【００２１】
本発明の一実施形態である自動販売機の管理システム１（以下、単に管理システム１と称する）について、図１乃至図５を参照して詳細に説明する。本実施形態の管理システム１は、自動販売機２と、自動販売機２を開施錠するための正規の鍵３と、自動販売機２に取付けられており鍵３を管理するための管理装置４と、を備えている。
【００２２】
自動販売機２は、前側が開放されている箱状の本体１１と、本体１１の前側を開閉可能に閉鎖しており取付孔１２ａが形成されている扉１２と、扉１２の取付孔１２ａに前側から挿入されて固定されており本体１１に対して扉１２をロックするためのロック装置１３と、扉１２の開閉を検知する開閉検知センサ１４と、開閉検知センサ１４による開閉の検知を日時と共に記憶する記憶部１５と、を備えている。
【００２３】
また、自動販売機２は、開閉検知センサ１４及び記憶部１５が接続されており本体１１内に収容されている商品の販売を制御するための自動販売機側制御部１６と、自動販売機側制御部１６に日時情報を出力する時計部１７と、自動販売機側制御部１６を操作するための操作部１８と、操作部１８による操作内容や記憶部１５に記憶されている各種の情報等を表示するための表示部１９と、を更に備えている。これら自動販売機側制御部１６等は、本体１１の内部、又は、扉１２の裏側に備えられている。
【００２４】
自動販売機２の扉１２は、自動販売機２の前面を構成し取付孔１２ａが形成されている平板状の前板１２ｂと、前板１２ｂの裏側に取付けられておりロック装置１３を固定するための固定ステー１２ｃと、を備えている（図３を参照）。
【００２５】
ロック装置１３は、扉１２の取付孔１２ａに前側から挿入されているハウジング１３ａと、ハウジング１３ａの前端から全周に亘って扉１２の前面に沿って延出しているフランジ部１３ｂと、ハウジング１３ａの内部に収容されているシリンダ錠１３ｃと、ハウジング１３ａ内に収容されているハンドル部１３ｄと、ハウジング１３ａの後面に取付けられておりハンドル部１３ｄの操作によって回動する回動部材１３ｅと、ハウジング１３ａの後面から前方へ向って凹んでいる凹部１３ｆと、を備えている。本実施形態のシリンダ錠１３ｃは、交換しなくても別の鍵に変更することができる可変式シリンダ錠である。
【００２６】
このロック装置１３は、シリンダ錠１３ｃに鍵３を挿入して回動させると、ハンドル部１３ｄがハウジング１３ａから前方へ突出し、ハンドル部１３ｄを回動操作させることができるようになる。そして、ハンドル部１３ｄを回動させることにより、回動部材１３ｅが回動し、回動部材１３ｅの回動と連動する図示しない係止爪が動作する。係止爪は、本体１１と扉１２とを係合させることができ、係止爪が動作されることにより、本体１１に対して扉１２を係合（施錠）させたり、係合を解除（開錠）させたりすることができる。
【００２７】
自動販売機２は、本体１１、扉１２、及びロック装置１３等が金属によって形成されており、破壊行為などに対して壊れ難いようにしている。
【００２８】
鍵３は、ＩＣチップ３ａが取付けられている。鍵３のＩＣチップ３ａは、ＩＣタグを用いており、外部から特定の周波数の電波が照射されると、その電波による誘導起電力により駆動されて、個別のＩＤ番号を含んだ鍵情報を、電波にのせて発信する。
【００２９】
管理装置４は、ロック装置１３のハウジング１３ａが通過可能な通過孔２１ａを有しておりロック装置１３と共に扉１２の前面側に取付けられる平板状のアンテナベース２１と、アンテナベース２１の通過孔２１ａの周りに埋設されているアンテナ２２と、ロック装置１３による扉１２のロックを開施錠させる鍵３に予め取付けられているＩＣチップ３ａの情報をアンテナ２２を介して読取ると共に、読取った情報を記憶部１５に記憶させる鍵情報読取制御部２３と、を備えている。
【００３０】
アンテナベース２１は、耐候性に優れていると共に電波を通し易い合成樹脂や繊維強化樹脂等によって形成されている。本実施形態のアンテナ２２は、フィルムアンテナを用いており、アンテナベース２１成形時に埋設している。
【００３１】
鍵情報読取制御部２３は、ロック装置１３の凹部１３ｆ内に取付けられており、扉１２の取付孔１２ａを通して、図示しない接続線によってアンテナベース２１に埋設されているアンテナ２２と電気的に接続されている。また、鍵情報読取制御部２３は、図示は省略するが、ＩＣチップ３ａを駆動させるための電波を発信する発信部と、ＩＣチップ３ａからの電波を受信する受信部と、受信部により受信した電波から鍵情報を取得する情報取得部と、情報取得部で取得された情報を自動販売機側制御部１６へ出力する出力部と、を備えている。この鍵情報読取制御部２３には、自動販売機２から電力が供給される。
【００３２】
次に、自動販売機２に対する管理装置４の取付けについて具体的に説明する。まず、自動販売機２からロック装置１３を取外した状態で、アンテナベース２１の通過孔２１ａにロック装置１３のハウジング１３ａを挿通すると共に、鍵情報読取制御部２３をロック装置１３の凹部１３ｆ内に取付ける（収容する）。そして、扉１２の前側からロック装置１３のハウジング１３ａを取付孔１２ａに挿通すと共に、ハウジング１３ａと固定ステー１２ｃとの間に、アンテナベース２１と同じ厚さの平板状のスペーサ２４を配置する。この状態で、固定ステー１２ｃの後側からハウジング１３ａにビス１３ｇをねじ込み、ハウジング１３ａ（ロック装置１３）を固定する（図３を参照）。これにより、アンテナベース２１が、ロック装置１３のフランジ部１３ｂと扉１２の前板１２ｂとの間に挟持された状態となる。
【００３３】
その後、鍵情報読取制御部２３と自動販売機側制御部１６とを、図示しない接続線によって電気的に接続することにより、自動販売機２への管理装置４の取付けが完了する。なお、鍵情報読取制御部２３と自動販売機側制御部１６との接続は、ロック装置１３を、固定ステー１２ｃに固定する前に行っても良い。
【００３４】
次に、本実施形態の管理システム１を用いた自動販売機２の管理方法について説明する。まず、ＩＣチップ３ａが取付けられている正規の鍵３を用いて自動販売機２の扉１２が開けられる場合、扉１２を開閉させるために正規の鍵３がロック装置１３に近付けられると、ロック装置１３のフランジ部１３ｂと扉１２の前板１２ｂとの間に挟まれているアンテナベース２１に埋設されたアンテナ２２を介して、正規の鍵３に取付けられているＩＣチップ３ａの鍵情報が鍵情報読取制御部２３により読取られる。鍵情報読取制御部２３により読取られた鍵情報は、自動販売機側制御部１６に送信され、時計部１７から取得された日時情報と共に記憶部１５に記憶される。
【００３５】
その後、正規の鍵３がロック装置１３のシリンダ錠１３ｃに挿入されることにより開錠されて扉１２が開けられると、開閉検知センサ１４により扉１２の開が検知され、その検知信号が扉１２の開情報として自動販売機側制御部１６に送られる。そして、この開情報が、時計部１７から取得された日時情報と共に記憶部１５に記憶される。
【００３６】
一方、複製された鍵を用いて自動販売機２の扉１２が開けられた場合、複製された鍵にはＩＣチップ３ａが取付けられていないため、ロック装置１３に近付けられても、アンテナ２２を介して鍵情報が読取られることがない。従って、鍵情報読取制御部２３からは自動販売機側制御部１６に、何も送信されない。そして、この複製された鍵により開錠されて扉１２が開けられると、開閉検知センサ１４により扉１２の開が検知され、記憶部１５には開情報と日時情報のみが記憶される。ところで、複製された鍵に、ＩＣチップ３ａが取付けられている場合は、正規の鍵３と同様に、ＩＣチップ３ａの鍵情報が読取られ、日時情報と共に記憶部１５に記憶される。
【００３７】
また、本実施形態では、自動販売機２の扉１２が閉じられた場合、開閉検知センサ１４により扉１２の閉が検知されるため、扉１２の閉情報が日時情報と共に記憶部１５に記憶される。また、記憶部１５には、上記の情報の他に、商品の販売情報、在庫情報、出入金情報等が記憶される。
【００３８】
記憶部１５に記憶されたこれらの情報は、操作部１８を操作することにより、表示部１９に表示させて確認することができる。そして、自動販売機２の記憶部１５に記憶された複数の情報において、扉１２の開情報に含まれている日時情報と同じ又は近接した日時情報を含んだ鍵情報が、正規の鍵３の情報であれば、扉１２の開閉に正規の鍵３が用いられたことが判る。一方、その鍵情報が正規の鍵３の情報と異なっている場合、或いは、開情報のみで鍵情報が記憶されていない場合、扉１２の開閉に複製された鍵が用いられたことが判る。
【００３９】
従って、正規の鍵３を用いて不正行為が行われている場合は、鍵の管理記録に基いて鍵の使用者を特定したり、鍵の管理方法を変更したりして防犯対策を取ることができる。また、複製された鍵を用いて不正行為が行われている場合は、自動販売機２のシリンダ錠１３ｃに、変更用の鍵を用いて新たな正規の鍵３を記憶させ、以前の正規の鍵や複製された鍵等を使用できないようにすることで、防犯対策を取ることができる。
【００４０】
このように、本実施形態の管理システム１によれば、自動販売機２の記憶部１５に記憶された扉１２の開閉の情報（履歴）を見ることにより、扉１２の開閉に正規の鍵３が使用されたか否かを容易に判別することができ、使用された鍵に応じて有効な対策を立てることができる。
【００４１】
また、ロック装置１３のフランジ部１３ｂと扉１２の前板１２ｂとの間に挟持されているアンテナベース２１にアンテナ２２を埋設しているため、金属により形成されている扉１２やロック装置１３等によって電波が遮断されることがなく、正規の鍵３に取付けられているＩＣチップ３ａの情報を良好に読取ることができる。
【００４２】
更に、アンテナ２２が埋設されているアンテナベース２１を、フランジ部１３ｂと前板１２ｂとの間に挟持させると共に、鍵情報読取制御部２３をロック装置１３の凹部１３ｆに取付けるだけで、管理装置４を取付けることができるため、自動販売機２に容易に取付けることができると共に、既存の自動販売機２に対して後から簡単に取付けて管理システム１を構築することができ、既存の自動販売機２の防犯性能を向上させることができる。
【００４３】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４４】
例えば、上記の実施形態では、読取ったＩＣチップ３ａの鍵情報を自動販売機側制御部１６へ送信する鍵情報読取制御部２３を示したが、これに限定するものではなく、読取ったＩＣチップ３ａの鍵情報を自動販売機側制御部１６を介さずに記憶部１５に直接記憶させることができる鍵情報読取制御部２３としても良い。
【００４５】
また、上記の実施形態では、鍵情報読取制御部２３を、ロック装置１３の凹部１３ｆに収容されて取付けられる例を示したが、これに限定するものではなく、ロック装置１３の外面、扉１２の後面等に取付けられるようにしても良い。
【００４６】
更に、上記の実施形態では、扉１２の開閉の情報や、開閉に用いられた鍵３の情報等を、自動販売機２内の記憶部１５に記憶させると共に、操作部１８の操作によりそれら情報を自動販売機２内の表示部１９に表示させる例を示したが、これに限定するものではなく、鍵情報読取制御部２３や自動販売機側制御部１６を、通信回線により外部の管理サーバー等と接続できるようにし、管理サーバー側で自動販売機２の開閉の情報や、開閉に用いられた鍵３の情報等を表示できるようにしても良い。
【符号の説明】
【００４７】
１  自動販売機の管理システム
２  自動販売機
３  鍵
３ａ  ＩＣチップ
４  管理装置
１１  本体
１２  扉
１２ａ  取付孔
１２ｂ  前板
１２ｃ  固定ステー
１３  ロック装置
１３ａ  ハウジング
１３ｂ  フランジ部
１３ｃ  シリンダ錠
１３ｄ  ハンドル部
１３ｅ  回動部材
１３ｆ  凹部
１３ｇ  ビス
１４  開閉検知センサ
１５  記憶部
１６  自動販売機側制御部
１７  時計部
１８  操作部
１９  表示部
２１  アンテナベース
２１ａ  通過孔
２２  アンテナ
２３  鍵情報読取制御部
２４  スペーサ
【先行技術文献】
【特許文献】
【００４８】
【特許文献１】特開平１１−１２０４２１号公報
【図１】
2014203385.tif 000003
【図２】
2014203385.tif 000004
【図３】
2014203385.tif 000005
【図４】
2014203385.tif 000006
【図５】
2014203385.tif 000007